(57)【要約】【課題】適度な剛性分布を有し、諸性能に優れるラケットフレームの提供。【解決手段】ラケットフレームは、アウターサーフェス１２と、インナーサーフェス１４と、このアウターサーフェス１２とインナーサーフェス１４との間に位置する一対のミッドサーフェス１６とを有する内側厚肉部２８を有している。インナーサーフェス１４の厚みＴｉは、アウターサーフェス１２の厚みＴｏよりも大きい。厚みは、内側に向かって徐々に増加する。従ってミッドサーフェス１６は、Ｘ方向に対して傾斜している。ミッドサーフェス１６の、外側端と内側端との厚み方向における距離Ｌｄは、０．５ｍｍ以上である。【選択図】図４
2018102454.tif 000002
【特許請求の範囲】
【請求項１】
アウターサーフェスと、インナーサーフェスと、このアウターサーフェスとインナーサーフェスとの間に位置する一対のミッドサーフェスとを有するパイプからなるテニスラケットフレームであって、
（１）上記パイプの厚みが内側に向かって徐々に増加するように、それぞれのミッドサーフェスが打球面に対して傾斜している内側厚肉部
及び
（２）上記パイプの厚みが外側に向かって徐々に増加するように、それぞれのミッドサーフェスが打球面に対して傾斜している外側厚肉部
を有するテニスラケットフレーム。
【請求項２】
（３）それぞれのミッドサーフェスが打球面に対して平行である均一厚み部を、さらに有する請求項１に記載のテニスラケットフレーム。
【請求項３】
上記テニスラケットフレームが、トップ部と、手元部と、このトップ部と手元部との間に位置する中央部とに区画されたとき、
上記トップ部が、上記内側厚肉部、上記外側厚肉部及び上記均一厚み部のうちのいずれかを有しており、
上記中央部が、上記内側厚肉部、上記外側厚肉部及び上記均一厚み部のうちの残余のものを有している請求項２に記載のテニスラケットフレーム。
【請求項４】
上記テニスラケットフレームが、トップ部と、手元部と、このトップ部と手元部との間に位置する中央部とに区画されたとき、
上記中央部が、上記内側厚肉部、上記外側厚肉部及び上記均一厚み部のうちのいずれかを有しており、
上記手元部が、上記内側厚肉部、上記外側厚肉部及び上記均一厚み部のうちの残余のものを有している請求項２に記載のテニスラケットフレーム。
【請求項５】
上記内側厚肉部におけるミッドサーフェスの、外側端と内側端との厚み方向における距離が、０．５ｍｍ以上である請求項１から４のいずれかに記載のテニスラケットフレーム。
【請求項６】
上記外側厚肉部におけるミッドサーフェスの、内側端と外側端との厚み方向における距離が、０．５ｍｍ以上である請求項１から５のいずれかに記載のテニスラケットフレーム。
【請求項７】
アウターサーフェスと、インナーサーフェスと、このアウターサーフェスとインナーサーフェスとの間に位置する一対のミッドサーフェスとを有するパイプからなるテニスラケットフレームであって、
上記テニスラケットフレームが、トップ部と、手元部と、このトップ部と手元部との間に位置する中央部とに区画されたときのこの中央部が、内側厚肉部を有しており、
上記内側厚肉部において、上記パイプの厚みが内側に向かって徐々に増加するように、それぞれのミッドサーフェスが打球面に対して傾斜しているテニスラケットフレーム。
【請求項８】
上記トップ部が外側厚肉部を有しており、上記外側厚肉部において、上記パイプの厚みが外側に向かって徐々に増加するように、それぞれのミッドサーフェスが打球面に対して傾斜している請求項７に記載のテニスラケットフレーム。
【請求項９】
上記手元部が均一厚み部を有しており、上記均一厚み部において、それぞれのミッドサーフェスが打球面に対して平行である請求項７又は８に記載のテニスラケットフレーム。
【発明の詳細な説明】
【技術分野】
【０００１】
本発明は、テニスに使用されるラケットフレームに関する。詳細には、本発明は、このフレームの断面形状の改良に関する。
【背景技術】
【０００２】
テニスラケットのフレームは、繊維強化樹脂から形成されている。繊維強化樹脂のマトリクス樹脂は、エポキシ樹脂である。繊維強化樹脂の強化繊維は、主にはカーボン繊維である。この強化繊維は、長繊維である。複数枚のプリプレグが巻かれ、このプリプレグに含まれるエポキシ樹脂が硬化することで、フレームが成形される。繊維強化樹脂から形成されたフレームを有するラケットが、特開２０１５−１５００２８公報に開示されている。
【先行技術文献】
【特許文献】
【０００３】
【特許文献１】特開２０１５−１５００２８公報
【発明の概要】
【発明が解決しようとする課題】
【０００４】
近年の一部の上級テニスプレーヤーは、大きな打ち出し角度を好む。さらにこのプレーヤーは、高い弾道を好む。
【０００５】
厚みが小さなラケットでは、ストローク時のボールとの接触時間が長い傾向がある。長い接触時間は、大きな打ち出し角に寄与しうる。しかし、厚みが小さなラケットは、反発性能に劣る。このラケットでは、プレーヤーは、高速のサーブを打ちにくい。さらに、厚みが小さなラケットは、ボールを打撃したときのフェースの向きの安定性に劣る。
【０００６】
本発明の目的は、諸性能に優れたテニスラケットフレームの提供にある。
【課題を解決するための手段】
【０００７】
本発明に係るテニスラケットフレームは、パイプから形成されている。このパイプは、アウターサーフェスと、インナーサーフェスと、このアウターサーフェスとインナーサーフェスとの間に位置する一対のミッドサーフェスとを有する。このテニスラケットフレームは、
（１）上記パイプの厚みが内側に向かって徐々に増加するように、それぞれのミッドサーフェスが打球面に対して傾斜している内側厚肉部
及び
（２）上記パイプの厚みが外側に向かって徐々に増加するように、それぞれのミッドサーフェスが打球面に対して傾斜している外側厚肉部
を有する。
【０００８】
好ましくは、このテニスラケットフレームは、
（３）それぞれのミッドサーフェスが打球面に対して平行である均一厚み部
を、さらに有する。
【０００９】
このテニスラケットフレームは、トップ部と、手元部と、このトップ部と手元部との間に位置する中央部とに区画されうる。好ましくは、トップ部は内側厚肉部、外側厚肉部及び均一厚み部のうちのいずれかを有しており、中央部は内側厚肉部、外側厚肉部及び均一厚み部のうちの残余のものを有している。
【００１０】
中央部が内側厚肉部、外側厚肉部及び均一厚み部のうちのいずれかを有し、手元部が内側厚肉部、外側厚肉部及び均一厚み部のうちの残余のものを有してもよい。
【００１１】
好ましくは、内側厚肉部におけるミッドサーフェスの、外側端と内側端との厚み方向における距離は、０．５ｍｍ以上である。
【００１２】
好ましくは、外側厚肉部におけるミッドサーフェスの、内側端と外側端との厚み方向における距離は、０．５ｍｍ以上である。
【００１３】
他の観点によれば、本発明に係るテニスラケットフレームは、トップ部と、手元部と、このトップ部と手元部との間に位置する中央部とに区画されたときのこの中央部が、内側厚肉部を有する。この内側厚肉部において、パイプの厚みが内側に向かって徐々に増加するように、それぞれのミッドサーフェスが打球面に対して傾斜している。
【００１４】
好ましくは、トップ部は、外側厚肉部を有する。この外側厚肉部において、パイプの厚みが外側に向かって徐々に増加するように、それぞれのミッドサーフェスが打球面に対して傾斜している。
【００１５】
好ましくは、手元部は、均一厚み部を有する。この均一厚み部において、それぞれのミッドサーフェスは、打球面に対して平行である。
【発明の効果】
【００１６】
本発明に係るラケットフレームは、内側厚肉部を有するので、ストローク時のボールとの接触時間が長い。このラケットフレームは、大きな打ち出し角度に寄与しうる。
【図面の簡単な説明】
【００１７】
【図１】図１は、本発明の一実施形態に係るテニスラケットフレームが示された正面図である。
【図２】図２は、図１のテニスラケットフレームが示された右側面図である。
【図３】図３は、図１のテニスラケットフレームの一部が示された拡大図である。
【図４】図４は、図１のIV−IV線に沿った拡大断面図である。
【図５】図５は、図１のＶ−Ｖ線に沿った拡大断面図である。
【図６】図６は、図１のVI−VI線に沿った拡大断面図である。
【図７】図７は、図３のVII−VII線に沿った拡大断面図である。
【図８】図８は、図３のVIII−VIII線に沿った拡大断面図である。
【図９】図９は、図１のテニスラケットフレームの一部が示された拡大図である。
【発明を実施するための形態】
【００１８】
以下、適宜図面が参照されつつ、好ましい実施形態に基づいて本発明が詳細に説明される。
【００１９】
図１−３には、硬式テニスに使用されるラケットフレーム２が示されている。このラケットフレーム２は、ヘッド４、２つのスロート６、シャフト８及びグリップ１０を備えている。このラケットフレーム２に、グロメット、グリップテープ、エンドキャップ等が取り付けられる。さらに、このラケットフレーム２に、ストリングが張られる。図１において、矢印Ｘで示された方向はラケットフレーム２の幅方向であり、矢印Ｙで示された方向はラケットフレーム２の軸方向である。図２において矢印Ｚで示された方向は、ラケットフレーム２の厚み方向である。このラケットフレーム２から得られたラケットでは、打球面は、Ｘ−Ｙ平面と平行である。
【００２０】
ラケットフレーム２は、パイプからなる。換言すれば、このラケットフレーム２は中空である。このパイプは、アウターサーフェス１２、インナーサーフェス１４及び一対のミッドサーフェス１６を有している。このパイプの材質は、繊維強化樹脂である。この繊維強化樹脂のマトリクス樹脂は、熱硬化樹脂である。典型的な熱硬化樹脂は、エポキシ樹脂である。繊維強化樹脂の典型的な繊維は、カーボン繊維である。この繊維は、長繊維である。
【００２１】
ヘッド４は、打球面の輪郭を形成している。ヘッド４の正面形状は、略楕円である。楕円の長径方向は、ラケットフレーム２の軸方向Ｙと一致している。楕円の短径方向は、ラケットフレーム２の幅方向Ｘと一致している。ヘッド４のアウターサーフェス１２は、ガット溝１８を有している。図２に示されるように、ガット溝１８はヘッド４の周方向に沿って延在している。このガット溝１８に、グロメット（図示されず）が嵌め込まれる。
【００２２】
それぞれのスロート６の一端は、ヘッド４と連続している。このスロート６は、他端の近傍で他のスロート６と合流している。スロート６は、ヘッド４から延びてシャフト８に至っている。シャフト８は、２つのスロート６が合流する箇所から延びている。シャフト８は、スロート６と連続的にかつ一体的に形成されている。グリップ１０は、シャフト８と連続的にかつ一体的に形成されている。ヘッド４のうち２つのスロート６に挟まれた部分は、ヨーク２０である。
【００２３】
図１に示されるように、グリップ１０を除くラケットフレーム２は、トップ部２２、手元部２４及び中央部２６に区画されうる。中央部２６は、トップ部２２と手元部２４との間に位置している。トップ部２２は、ヘッド４の一部である。中央部２６は、ヘッド４の一部とスロート６の一部とを含んでいる。手元部２４は、スロート６の一部とシャフト８の一部とを含んでいる。
【００２４】
図４は、図１のIV−IV線に沿った拡大断面図である。図４には、ヘッド４のうち中央部２６に属する部分が示されている。図４には、アウターサーフェス１２、インナーサーフェス１４及び一対のミッドサーフェス１６が示されている。それぞれのミッドサーフェス１６は、アウターサーフェス１２とインナーサーフェス１４との間に位置している。アウターサーフェス１２は、ガット溝１８を有している。
【００２５】
図４に示されるように、インナーサーフェス１４の厚みＴｉは、アウターサーフェス１２の厚みＴｏよりも大きい。厚みは、内側に向かって徐々に増加する。従ってミッドサーフェス１６は、Ｘ方向に対して傾斜している。換言すれば、ミッドサーフェス１６は、打球面に対して傾斜している。本発明では、インナーサーフェス１４の厚みＴｉがアウターサーフェス１２の厚みＴｏよりも大きい部分は、内側厚肉部２８と称される。
【００２６】
中央部２６には、内側厚肉部２８が主として存在する。この内側厚肉部２８の曲げ剛性は、低い。この内側厚肉部２８を有するラケットによってボールが打撃されると、ラケットフレーム２が十分に変形する。この変形により、ラケットとボールとの大きな接触時間が達成されうる。このラケットを使用するプレーヤーは、大きな打ち出し角度でボールを打ち出すことができる。大きな打ち出し角度は、高い弾道を招く。大きな打ち出し角度はさらに、弾道の頂点の位置を相手のベースライン寄りにシフトさせる。この弾道は、競技においてプレーヤーの優位を達成しうる。しかもラケットフレーム２の十分な変形は、ソフトな打球感にも寄与しうる。
【００２７】
図５は、図１のＶ−Ｖ線に沿った拡大断面図である。図５には、ヘッド４のうちトップ部２２に属する部分が示されている。図５には、アウターサーフェス１２、インナーサーフェス１４及び一対のミッドサーフェス１６が示されている。それぞれのミッドサーフェス１６は、アウターサーフェス１２とインナーサーフェス１４との間に位置している。アウターサーフェス１２は、ガット溝１８を有している。
【００２８】
図５に示されるように、アウターサーフェス１２の厚みＴｏは、インナーサーフェス１４の厚みＴｉよりも大きい。厚みは、外側に向かって徐々に増加する。従ってミッドサーフェス１６は、Ｙ方向に対して傾斜している。換言すれば、ミッドサーフェス１６は、打球面に対して傾斜している。本発明では、アウターサーフェス１２の厚みＴｏがインナーサーフェス１４の厚みＴｉよりも大きい部分は、外側厚肉部３０と称される。
【００２９】
トップ部２２には、外側厚肉部３０が主として存在する。この外側厚肉部３０は、低荷重時の曲げ剛性は低いが、高荷重時の曲げ剛性は高い。この外側厚肉部３０は、高速でのストロークのときの反発性に寄与しうる。この外側厚肉部３０は、サーブのときの反発性にも寄与しうる。さらにこの外側厚肉部３０は、打撃時のフェースの向きの安定性にも寄与しうる。
【００３０】
このラケットフレーム２では、中央部２６が主として内側厚肉部２８を有しており、トップ部２２が主として外側厚肉部３０を有しているので、長い接触時間と反発性とが両立されうる。
【００３１】
ラケットフレーム２が、外側厚肉部３０を有さないヘッド４を備えてもよい。この場合でも、内側厚肉部２８の効果である長い接触時間が達成されうる。
【００３２】
図６は、図１のVI−VI線に沿った拡大断面図である。図６には、ヨーク２０が示されている。図１から明らかなように、ヨーク２０は、中央部２６に属する。図６には、アウターサーフェス１２、インナーサーフェス１４及び一対のミッドサーフェス１６が示されている。それぞれのミッドサーフェス１６は、アウターサーフェス１２とインナーサーフェス１４との間に位置している。アウターサーフェス１２は、ガット溝１８を有している。
【００３３】
図６に示されるように、インナーサーフェス１４の厚みＴｉは、アウターサーフェス１２の厚みＴｏよりも大きい。厚みは、内側に向かって徐々に増加する。従ってミッドサーフェス１６は、Ｙ方向に対して傾斜している。換言すれば、ミッドサーフェス１６は、打球面に対して傾斜している。
【００３４】
図６に示された部分は、内側厚肉部２８である。この内側厚肉部２８の曲げ剛性は、低い。この内側厚肉部２８を有するラケットによってボールが打撃されると、ラケットフレーム２が十分に変形する。この変形により、ラケットとボールとの大きな接触時間が達成されうる。このラケットを使用するプレーヤーは、大きな打ち出し角度でボールを打ち出すことができる。大きな打ち出し角度は、高い弾道を招く。大きな打ち出し角度はさらに、弾道の頂点の位置を相手のベースライン寄りにシフトさせる。この弾道は、競技においてプレーヤーの優位を達成しうる。しかも、ラケットフレーム２の十分な変形は、ソフトな打球感にも寄与しうる。ヘッド４が、内側厚肉部２８を有さないヨーク２０を備えてもよい。
【００３５】
図７は、図３のVII−VII線に沿った拡大断面図である。図７には、スロート６のうちヘッド４に近い部分が示されている。図１及び３から明らかなように、図７に示された部分は、中央部２６に属する。図７には、アウターサーフェス１２、インナーサーフェス１４及び一対のミッドサーフェス１６が示されている。それぞれのミッドサーフェス１６は、アウターサーフェス１２とインナーサーフェス１４との間に位置している。アウターサーフェス１２は、ガット溝１８を有していない。
【００３６】
図７に示されるように、インナーサーフェス１４の厚みＴｉは、アウターサーフェス１２の厚みＴｏよりも大きい。厚みは、内側に向かって徐々に増加する。従ってミッドサーフェス１６は、図７の左右方向に対して傾斜している。換言すれば、ミッドサーフェス１６は、打球面に対して傾斜している。
【００３７】
図７に示された部分は、内側厚肉部２８である。この内側厚肉部２８の曲げ剛性は、低い。この内側厚肉部２８を有するラケットによってボールが打撃されると、ラケットフレーム２が十分に変形する。この変形により、ラケットとボールとの大きな接触時間が達成されうる。このラケットを使用するプレーヤーは、大きな打ち出し角度でボールを打ち出すことができる。大きな打ち出し角度は、高い弾道を招く。大きな打ち出し角度はさらに、弾道の頂点の位置を相手のベースライン寄りにシフトさせる。この弾道は、競技においてプレーヤーの優位を達成しうる。しかも、ラケットフレーム２の十分な変形は、ソフトな打球感にも寄与しうる。ヘッド４が、内側厚肉部２８を有さないスロート６を備えてもよい。
【００３８】
図８は、図３のVIII−VIII線に沿った拡大断面図である。図８には、スロート６のうちシャフト８に近い部分が示されている。図１及び３から明らかなように、図８に示された部分は、手元部２４に属する。図８には、アウターサーフェス１２、インナーサーフェス１４及び一対のミッドサーフェス１６が示されている。それぞれのミッドサーフェス１６は、アウターサーフェス１２とインナーサーフェス１４との間に位置している。アウターサーフェス１２は、ガット溝１８を有していない。
【００３９】
図８に示されるように、インナーサーフェス１４の厚みＴｉは、アウターサーフェス１２の厚みと同じである。従ってミッドサーフェス１６は、図８の左右方向に延在している。換言すれば、ミッドサーフェス１６は、打球面に対して平行である。本発明では、インナーサーフェス１４の厚みＴｉがアウターサーフェス１２の厚みＴｏと同じ部分は、均一厚み部３２と称される。均一厚み部３２の曲げ剛性は、高い。この均一厚み部３２は、反発性に寄与する。この均一厚み部３２はさらに、フェースの向きの安定性にも寄与しうる。
【００４０】
ラケットフレーム２が、均一厚み部３２を有さないヘッド４を備えてもよい。この場合でも、内側厚肉部２８の効果である長い接触時間が達成されうる。
【００４１】
図９は、図１のテニスラケットフレーム２の一部が示された拡大図である。図９において、左上がりの線でハッチが施された領域は外側厚肉部３０であり、右上がりの線でハッチが施された領域は内側厚肉部２８であり、左右に延びる線でハッチが施された領域は均一厚み部３２である。外側厚肉部３０と内側厚肉部２８との間に位置するのは、第一移行部３４である。内側厚肉部２８と均一厚み部３２との間に位置するのは、第二移行部３６である。第一移行部３４では、その断面形状が、図５に示された形状から図４に示された形状へと、徐々に変化している。第二移行部３６では、その断面形状が、図７に示された形状から図８に示された形状へと、徐々に変化している。
【００４２】
図９において符号θ１で示されているのは、外側厚肉部３０と第一移行部３４との境界までの、頂点からの中心角度である。反発性及びフェースの向きの安定性の観点から、角度θ１は３０°以上が好ましく、４０°以上が特に好ましい。内側厚肉部２８が十分に大きくされうるとの観点から、角度θ１は８５°以下が好ましく、７５°以下が特に好ましい。
【００４３】
図９において符号θ２で示されているのは、第一移行部３４と内側厚肉部２８との境界までの、頂点からの中心角度である。ボールとの長い接触時間の観点から、角度θ２は９０°以下が好ましく、８０°以下が特に好ましい。外側厚肉部３０が十分に大きくされうるとの観点から、角度θ２は４０°以上が好ましく、５０°以上が特に好ましい。
【００４４】
図９において矢印Ｌ２で示されているのは、スロート６における内側厚肉部２８の長さである。長さＬ２は、軸方向に沿って測定される。ボールとの長い接触時間の観点から、長さＬ２の、スロート６の長さＬ１に対する比（Ｌ２／Ｌ１）は、０．２以上が好ましく、０．３以上が特に好ましい。均一厚み部３２が十分に大きくされうるとの観点から、比（Ｌ２／Ｌ１）は０．７以下が好ましく、０．６以下が特に好ましい。
【００４５】
図９において矢印Ｌ３で示されているのは、スロート６における均一厚み部３２の長さである。長さＬ３は、軸方向に沿って測定される。反発性及びフェースの向きの安定性の観点から、長さＬ３の、スロート６の長さＬ１に対する比（Ｌ３／Ｌ１）は、０．２以上が好ましく、０．３以上が特に好ましい。内側厚肉部２８が十分に大きくされうるとの観点から、比（Ｌ３／Ｌ１）は０．７以下が好ましく、０．６以下が特に好ましい。
【００４６】
図４−７において矢印Ｌｄで示されているのは、ミッドサーフェス１６の、外側端と内側端との厚み方向における距離である。諸性能のバランスの観点から、距離Ｌｄは０．５ｍｍ以上が好ましく、０．８ｍｍ以上が特に好ましい。諸性能のバランスの観点から、距離Ｌｄは３．０ｍｍ以下が好ましく、２．０ｍｍ以下が特に好ましい。
【００４７】
このラケットフレームの各部位において、インナーサーフェス１４の厚みＴｉとアウターサーフェス１２の厚みＴｏとのうち大きい方の厚みは、２０ｍｍ以上３０ｍｍ以下が好ましく、２２ｍｍ以上２６ｍｍ以下が特に好ましい。
【００４８】
図４−７において符号θｄで示されているのは、ミッドサーフェス１６の傾斜角度である。諸性能のバランスの観点から、角度θｄは３°以上が好ましく、５°以上が特に好ましい。諸性能のバランスの観点から、角度θｄは３０°以下が好ましく、２０°以下が特に好ましい。
【００４９】
本発明に係るラケットフレーム２では、断面形状の工夫により、剛性の分布が調整されうる。従って、剛性分布の調整に特殊な材料（プリプレグ）が用いられる必要はない。このラケットフレームでは、簡便かつ低コストで、剛性の分布が調整されうる。もちろん、このラケットフレーム２に特殊な材料が用いられてもよい。
【００５０】
ラケットフレームの断面形状には、種々の変更がなされうる。ラケットフレームのいずれかの位置に内側厚肉部が存在し、他の位置に外側厚肉部が存在することにより、長い接触時間と反発性とが両立されうる。
【００５１】
トップ部が内側厚肉部を有する場合、中央部が外側厚肉部又は均一厚み部を有することが好ましい。トップ部が外側厚肉部を有する場合、中央部が内側厚肉部又は均一厚み部を有することが好ましい。トップ部が均一厚み部を有する場合、中央部が内側厚肉部又は外側厚肉部を有することが好ましい。
【００５２】
中央部が内側厚肉部を有する場合、手元部が外側厚肉部又は均一厚み部を有することが好ましい。中央部が外側厚肉部を有する場合、手元部が内側厚肉部又は均一厚み部を有することが好ましい。中央部が均一厚み部を有する場合、手元部が内側厚肉部又は外側厚肉部を有することが好ましい。
【実施例】
【００５３】
以下、実施例によって本発明の効果が明らかにされるが、この実施例の記載に基づいて本発明が限定的に解釈されるべきではない。
【００５４】
［実施例］
図１−９に示されたラケットフレームを形成した。このラケットフレームの厚みは、以下の通りであった。
トップ部の外側厚肉部
アウターサーフェスの厚みＴｏ：２２ｍｍ
インナーサーフェスの厚みＴｉ：２０ｍｍ
中央部の内側厚肉部
アウターサーフェスの厚みＴｏ：２０ｍｍ
インナーサーフェスの厚みＴｉ：２２ｍｍ
手元部の均一厚み部
アウターサーフェスの厚みＴｏ：２１ｍｍ
インナーサーフェスの厚みＴｉ：２１ｍｍ
【００５５】
［比較例］
市販のラケットフレームを用意した。このラケットフレームの厚みは、以下の通りであった。
トップ部
アウターサーフェスの厚みＴｏ：２１ｍｍ
インナーサーフェスの厚みＴｉ：２１ｍｍ
中央部
アウターサーフェスの厚みＴｏ：２１ｍｍ
インナーサーフェスの厚みＴｉ：２１ｍｍ
手元部
アウターサーフェスの厚みＴｏ：２１ｍｍ
インナーサーフェスの厚みＴｉ：２１ｍｍ
【００５６】
[ラリー]
ラケットフレームにグロメット、ストリング等を取り付けて、ラケットを得た。このラケットにて、プレーヤーにラリーを行わせた。弾道を追尾計測し、ボールの打ち出し角度の平均値と、ストローク地点から弾道頂点までの水平距離の平均値とを算出した。この結果が、下記の表１に示されている。
【００５７】
[サーブ]
上記ラケットにて、プレーヤーにサーブを行わせ、ボールの速度を測定した。複数回の測定で得られた結果の平均値が、下記の表１に示されている。
【００５８】
【表１】
2018102454.tif 000003
【００５９】
表１に示されるように、実施例のラケットは、諸性能に優れている。この評価結果から、本発明の優位性は明らかである。
【産業上の利用可能性】
【００６０】
本発明に係るラケットは、ツアーに参加するプロプレーヤーに適しており、さらに、アマチュアプレーヤーにも適している。
【符号の説明】
【００６１】
２・・・ラケットフレーム
４・・・ヘッド
６・・・スロート
８・・・シャフト
１０・・・グリップ
１２・・・アウターサーフェス
１４・・・インナーサーフェス
１６・・・ミッドサーフェス
１８・・・ガット溝
２０・・・ヨーク
２２・・・トップ部
２４・・・手元部
２６・・・中央部
２８・・・内側厚肉部
３０・・・外側厚肉部
３２・・・均一厚み部
３４・・・第一移行部
３６・・・第二移行部
【図１】
2018102454.tif 000004
【図２】
2018102454.tif 000005
【図３】
2018102454.tif 000006
【図４】
2018102454.tif 000007
【図５】
2018102454.tif 000008
【図６】
2018102454.tif 000009
【図７】
2018102454.tif 000010
【図８】
2018102454.tif 000011
【図９】
2018102454.tif 000012